(57)【特許請求の範囲】
【請求項１】
対象物を固定する固定方法であって、
ベースと、このベースに対して直交する関係にある支持部とを有した本体と、
貫通孔を有し、前記貫通孔に臨む被係止部を備えると共に、外形がベース側の垂直方向に向かって先細りとなるテーパー部を有する外面当接部材と、
前記貫通孔を通り、後端の裏面に前記被係止部に係止する係止部を有した係止部材と
、
この係止部材を前記ベースの面に対して垂直方向へ進退させる進退手段とを備え、
前記係止部材の係止部は、前記ベース側の垂直方向に向かって先細りとなる係止テーパー部を有し、
前記外面当接部材を前記ベースに載置し、
前記支持部と前記ベースに載置した前記外面当接部材のテーパー部との間に前記対象
物を位置させ、前記進退手段により、前記係止部材を前記ベースに向かって前進させるこ
とにより、前記係止部材の前記係止テーパー部を前記外面当接部材の前記被係止部に係止
させて、前記外面当接部材を介して前記対象物を前記支持部に押し付けて前記対象物を固
定するものであり、
前記係止部材の前記係止テーパー部と前記外面当接部材の前記被係止部との係止部位
の前記ベースからの高さＨは、前記外面当接部材と前記対象物との当接部位の前記ベース
からの高さｈ（Ｈ＞ｈ）より高い位置にある
ことを特徴とする固定方法。
【請求項２】
対象物を固定する固定方法であって、
ベースと、このベースに設けられた雌ねじ孔と、前記ベースに対して直交する関係に
ある支持部とを有した本体と、
貫通孔を有し、前記貫通孔に臨む被係止部を備えると共に、外形がベース側の垂直方向に向かって先細りとなるテーパー部を有する外面当接部材と、
前記貫通孔を通り、前記雌ねじ孔の雌ねじに螺合する雄ネジ部を全体に亘って有した
雄ネジ体と、
この雄ネジ体の雄ネジ部に螺合し、前記ベース側の垂直方向に向かって先細りとなるテーパー部を有するテーパーナットとを備え、
前記支持部と前記ベースに載置した前記外面当接部材のテーパー部との間に前記対象
物を位置させ、前記雌ねじ孔の前記雌ねじに前記雄ネジ部を螺合した前記雄ネジ体を前記
雌ねじ孔に向かって前進させることにより、前記テーパーナットの前記テーパー部を前記
外面当接部材の前記被係止部に係止させて、前記外面当接部材を介して前記対象物を前記
支持部に押し付けて前記対象物を固定するものであり、
前記テーパーナットの前記テーパー部と前記外面当接部材の前記被係止部との係止部
位の前記ベースからの高さＨは、前記外面当接部材と前記対象物との当接部位の前記ベー
スからの高さｈ（Ｈ＞ｈ）より高い位置にある
ことを特徴とする固定方法。
【請求項３】
テーパーナットの上に位置し、雄ネジ体の雄ネジ部に螺合し、前記テーパーナットの
上端面に第１のナットを当接して前記第１のナットを締め付ける
ことを特徴とする請求項２記載の固定方法。
【請求項４】
テーパーナットの上に位置し、雄ネジ体の雄ネジ部に螺合し、前記テーパーナットの
上端面に第１のナットを当接して前記第１のナットを締め付け、
本体の雌ねじ孔より突出した前記雄ネジ体の雄ネジ部に第２のナットを螺合する
ことを特徴とする請求項２記載の固定方法。
【請求項５】
外面当接部材の貫通孔は、ベース側の垂直方向に向かって先細りとなる第１のテーパー部と、この第１のテーパー部に接続し、前記ベース側の垂直方向に向かって末広がりとなる第２のテーパー部とを有し、前記ベース側の垂直方向に向かって、前記第１のテーパー部、前記第２のテーパー部の順で構成され、
係止部材は、円筒部と、この円筒部の先端に設けられた雄ネジ部とを有し、
前記第１のテーパー部と前記第２のテーパー部との接続部位が前記円筒部に当接する
ことを特徴とする請求項１記載の固定方法。
【請求項６】
対象物を固定する固定方法であって、
ベースと、このベースに対して直交する関係にある支持部とを有した本体と、
貫通孔を有し、前記貫通孔に臨む被係止部を備えると共に、外形がベース側の垂直方向に向かって先細りとなるテーパー部を有する外面当接部材と、
前記貫通孔を通り、後端の裏面に前記被係止部に係止する係止部を有した係止部材と
、
この係止部材を前記ベースの面に対して垂直方向へ付勢させる付勢手段とを備え、
前記係止部材の係止部は、前記ベース側の垂直方向に向かって先細りとなる係止テーパー部を有し、
前記支持部と前記ベースに載置した前記外面当接部材のテーパー部との間に前記対象
物を位置させ、前記付勢手段により、前記係止部材の前記係止テーパー部を前記外面当接
部材の前記被係止部に係止させて、前記外面当接部材を介して前記対象物を前記支持部に
押し付けて前記対象物を固定するものであり、
前記係止部材の前記係止テーパー部と前記外面当接部材の前記被係止部との係止部位
の前記ベースからの高さＨは、前記外面当接部材と前記対象物との当接部位の前記ベース
からの高さｈ（Ｈ＞ｈ）より高い位置にある
ことを特徴とする固定方法。
【発明の詳細な説明】
【技術分野】
【０００１】
本発明は、固定方法に係り、特に、固定のみならず、固定の解除も良好な固定方法に関する。
【背景技術】
【０００２】
例えば、図１１に示す部材１００’に部材１０１’、１０２’を溶接したい場合、図１２に示すように、固定具１０５’で、部材１０１’を部材１０３’に対して、部材１０２’を部材１０４’に対して、それぞれ押し付けて固定したい場合がある。
【発明の概要】
【発明が解決しようとする課題】
【０００３】
しかしながら、上記の場合、雄ネジ体１０５’ａ、雄ネジ体１０５’ｂを回動して取り付け、取り外しを行うため、例えば、雄ネジ体１０５’ａの頭部を部材１０２’と接触しながら、雄ネジ体１０５’ｂの頭部を部材１０１’と接触しながら、固定具１０５’を固定しなければならず、摩擦抵抗が大きく固定しづらく、しかも、溶接後も、同様に、雄ネジ体１０５’ａの頭部を部材１０２’と接触しながら、雄ネジ体１０５’ｂの頭部を部材１０１’と接触しながら、固定具１０５’を解除しなければならず、固定のみならず、固定の解除も容易でないという問題点が生じた。
【０００４】
本発明は、前記問題点を考慮したなされたもので、固定のみならず、固定の解除も良好な固定方法を提供することを目的とする。
【課題を解決するための手段】
【０００５】
請求項１記載の固定方法は、対象物を固定する固定方法であって、ベースと、このベースに対して直交する関係にある支持部とを有した本体と、貫通孔を有し、前記貫通孔に臨む被係止部を備えると共に、外形がベース側の垂直方向に向かって先細りとなるテーパー部を有する外面当接部材と、前記貫通孔を通り、後端の裏面に前記被係止部に係止する係止部を有した係止部材と、この係止部材を前記ベースの面に対して垂直方向へ進退させる進退手段とを備え、前記係止部材の係止部は、前記ベース側の垂直方向に向かって先細りとなる係止テーパー部を有し、前記外面当接部材を前記ベースに載置し、前記支持部と前記ベースに載置した前記外面当接部材のテーパー部との間に前記対象物を位置させ、前記進退手段により、前記係止部材を前記ベースに向かって前進させることにより、前記係止部材の前記係止テーパー部を前記外面当接部材の前記被係止部に係止させて、前記外面当接部材を介して前記対象物を前記支持部に押し付けて前記対象物を固定するものであり、前記係止部材の前記係止テーパー部と前記外面当接部材の前記被係止部との係止部位の前記ベースからの高さＨは、前記外面当接部材と前記対象物との当接部位の前記ベースからの高さｈ（Ｈ＞ｈ）より高い位置にある。
【０００６】
また、請求項２記載の固定方法は、対象物を固定する固定方法であって、ベースと、このベースに設けられた雌ねじ孔と、前記ベースに対して直交する関係にある支持部とを有した本体と、貫通孔を有し、前記貫通孔に臨む被係止部を備えると共に、外形がベース側の垂直方向に向かって先細りとなるテーパー部を有する外面当接部材と、前記貫通孔を通り、前記雌ねじ孔の雌ねじに螺合する雄ネジ部を全体に亘って有した雄ネジ体と、この雄ネジ体の雄ネジ部に螺合し、前記ベース側の垂直方向に向かって先細りとなるテーパー部を有するテーパーナットとを備え、前記支持部と前記ベースに載置した前記外面当接部材のテーパー部との間に前記対象物を位置させ、前記雌ねじ孔の前記雌ねじに前記雄ネジ部を螺合した前記雄ネジ体を前記雌ねじ孔に向かって前進させることにより、前記テーパーナットの前記テーパー部を前記外面当接部材の前記被係止部に係止させて、前記外面当接部材を介して前記対象物を前記支持部に押し付けて前記対象物を固定するものであり、前記テーパーナットの前記テーパー部と前記外面当接部材の前記被係止部との係止部位の前記ベースからの高さＨは、前記外面当接部材と前記対象物との当接部位の前記ベースからの高さｈ（Ｈ＞ｈ）より高い位置にある。
【０００７】
また、請求項３記載の固定方法は、請求項２記載の固定方法において、テーパーナットの上に位置し、雄ネジ体の雄ネジ部に螺合し、前記テーパーナットの上端面に第１のナットを当接して前記第１のナットを締め付けるものである。
【０００８】
また、請求項４記載の固定方法は、請求項２記載の固定方法において、テーパーナットの上に位置し、雄ネジ体の雄ネジ部に螺合し、前記テーパーナットの上端面に第１のナットを当接して前記第１のナットを締め付け、本体の雌ねじ孔より突出した前記雄ネジ体の雄ネジ部に第２のナットを螺合するものである。
【０００９】
また、請求項５記載の固定方法は、請求項１記載の固定方法において、外面当接部材の貫通孔は、ベース側の垂直方向に向かって先細りとなる第１のテーパー部と、この第１のテーパー部に接続し、前記ベース側の垂直方向に向かって末広がりとなる第２のテーパー部とを有し、前記ベース側の垂直方向に向かって、前記第１のテーパー部、前記第２のテーパー部の順で構成され、係止部材は、円筒部と、この円筒部の先端に設けられた雄ネジ部とを有し、前記第１のテーパー部と前記第２のテーパー部との接続部位が前記円筒部に当接するものである。
【００１０】
また、請求項６記載の固定方法は、対象物を固定する固定方法であって、ベースと、このベースに対して直交する関係にある支持部とを有した本体と、貫通孔を有し、前記貫通孔に臨む被係止部を備えると共に、外形がベース側の垂直方向に向かって先細りとなるテーパー部を有する外面当接部材と、前記貫通孔を通り、後端の裏面に前記被係止部に係止する係止部を有した係止部材と、この係止部材を前記ベースの面に対して垂直方向へ付勢させる付勢手段とを備え、前記係止部材の係止部は、前記ベース側の垂直方向に向かって先細りとなる係止テーパー部を有し、前記支持部と前記ベースに載置した前記外面当接部材のテーパー部との間に前記対象物を位置させ、前記付勢手段により、前記係止部材の前記係止テーパー部を前記外面当接部材の前記被係止部に係止させて、前記外面当接部材を介して前記対象物を前記支持部に押し付けて前記対象物を固定するものであり、前記係止部材の前記係止テーパー部と前記外面当接部材の前記被係止部との係止部位の前記ベースからの高さＨは、前記外面当接部材と前記対象物との当接部位の前記ベース
からの高さｈ（Ｈ＞ｈ）より高い位置にある。
【発明の効果】
【００１１】
請求項１記載の固定方法によれば、外面当接部材は、貫通孔を有し、前記貫通孔に臨む被係止部を備えると共に、外形が垂直方向に向かって先細りとなるテーパー部を有し、支持部と外面当接部材のテーパー部との間に対象物を位置させ、進退手段により、係止部材をベースに向かって前進させることにより、前記係止部材の係止テーパー部を前記外面当接部材の前記被係止部に係止させて、前記外面当接部材を介して前記対象物を前記支持部に押し付けて前記対象物を固定するため、固定のみならず、固定の解除に力を要せず行うことができ、しかも、前記係止部材の前記係止テーパー部と前記外面当接部材の前記被係止部との係止部位の前記ベースからの高さＨは、前記外面当接部材と前記対象物との当接部位の前記ベースからの高さｈ（Ｈ＞ｈ）より高い位置にあり、対象物への押し付け作用が下方斜めであるため、固定をより確実にすることができ、更に、対象物の垂直方向の高さが外面当接部材の高さより低くても、高くても固定することができる。
【００１２】
また、請求項２記載の固定方法によれば、外面当接部材は、貫通孔を有し、前記貫通孔に臨む被係止部を備えると共に、外形が垂直方向に向かって先細りとなるテーパー部を有し、支持部と外面当接部材との間に対象物を位置させ、雌ねじ孔の前記雌ねじに前記雄ネジ部を螺合した前記雄ネジ体を前記雌ねじ孔に向かって前進させ、対象物を介して支持部に押し付けて対象物を固定するため、固定のみならず、固定の解除に力を要せず行うことができ、しかも、前記テーパーナットの前記テーパー部と前記外面当接部材の前記被係止部との係止部位の前記ベースからの高さＨは、前記外面当接部材と前記対象物との当接部位の前記ベースからの高さｈ（Ｈ＞ｈ）より高い位置にあり、対象物への押し付け作用が下方斜めであるため、固定をより確実にすることができ、更に、対象物の垂直方向の高さが外面当接部材の高さより低くても、高くても固定することができる。
【００１３】
また、請求項３記載の固定方法によれば、請求項２記載の発明の効果に加え、テーパーナットの上に位置し、雄ネジ体の雄ネジ部に螺合し、前記テーパーナットの上端面に第１のナットを当接して前記第１のナットを締め付けるため、テーパーナットが緩むのを防ぐことができる。
【００１４】
また、請求項４記載の固定方法によれば、請求項２記載の発明の効果に加え、テーパーナットの上に位置し、雄ネジ体の雄ネジ部に螺合し、前記テーパーナットの上端面に第１のナットを当接して前記第１のナットを締め付けるため、テーパーナットが緩むのを防ぐことができる。
【００１５】
また、請求項５記載の固定方法によれば、上述した請求項２記載の発明の効果に加え、第１のテーパー部と第２のテーパー部との接続部位が係止部材の円筒部に当接するため、係止部材の雄ネジ部の損傷を防ぐことができる。
【００１６】
また、請求項６記載の固定方法によれば、外面当接部材は、支持部とベースに載置した外面当接部材のテーパー部との間に対象物を位置させ、付勢手段により、係止部材の係止テーパー部を前記外面当接部材の被係止部に係止させて、前記外面当接部材を介して前記対象物を前記支持部に押し付けて前記対象物を固定するため、固定のみならず、固定の解除に力を要せず行うことができ、しかも、前記係止部材の前記係止テーパー部と前記外面当接部材の前記被係止部との係止部位の前記ベースからの高さＨは、前記外面当接部材と前記対象物との当接部位の前記ベースからの高さｈ（Ｈ＞ｈ）より高い位置にあり、対象物への押し付け作用が下方斜めであるため、固定をより確実にすることができ、更に、対象物の垂直方向の高さが外面当接部材の高さより低くても、高くても固定することができる。
【図面の簡単な説明】
【００１７】
【図１】図１は、本発明の一実施例の固定方法（固定装置）によって対象物を固定する過程を示したもので、図１（ａ）は、対象物を固定する前の状態の概略的図であり、図１（ｂ）は、壁面と外面当接部材との間に対象物を位置させた状態の概略的図であり、図１（ｃ）は、対象物を固定した状態の概略的図である。
【図２】図２は、図１の固定方法と異なる他の実施例の（固定装置）によって対象物を固定する過程を示したもので、図２（ａ）は、対象物を固定する前の状態の概略的図であり、図２（ｂ）は、壁面と外面当接部材との間に対象物を位置させた状態の概略的図であり、図２（ｃ）は、対象物を固定した状態の概略的図である。
【図３】図３は、図２の固定方法と異なる他の実施例の（固定装置）によって対象物を固定する過程を示したもので、図３（ａ）は、対象物を固定する前の状態の概略的図であり、図３（ｂ）は、壁面と外面当接部材との間に対象物を位置させた状態の概略的図であり、図３（ｃ）は、対象物を固定した状態の概略的図である。
【図４】図４は、図３の固定方法と異なる他の実施例の（固定装置）によって対象物を固定する過程を示したもので、図４（ａ）は、対象物を固定する前の状態の概略的図であり、図４（ｂ）は、対象物を固定した状態の概略的図である。
【図５】図５は、図４の固定方法と異なる他の実施例の（固定装置）によって対象物を固定する過程を示したもので、図５（ａ）は、対象物を固定する前の状態の概略的図であり、図５（ｂ）は、対象物を固定した状態の概略的図である。
【図６】図６は、図５の固定方法と異なる他の実施例の（固定装置）によって対象物を固定する前の状態の概略的図である。
【図７】図７は、図６の対象物を固定した状態の概略的図である。
【図８】図８は、図６及び図７の固定方法と異なる他の実施例の（固定装置）によって対象物を固定した状態の概略的図である。
【図９】図９（ａ）（ｂ）（ｃ）は、図８の外面当接部材と異なる他の実施例の外面当接部材の概略的平面図である。
【図１０】図１０は、図８の固定方法と異なる他の実施例の（固定装置）によって対象物を固定した状態の概略的図である。
【図１１】図１１は、従来の固定方法によって溶接された部材の概略的斜視図である。
【図１２】図１２は、従来の固定方法により対象物を固定し、図１１の部材の製造過程を示した概略的図である。
【発明を実施するための形態】
【００１８】
本発明の一実施例の固定方法を図面（図１乃至図４）を参照して説明する。  
[実施例１  図１（ａ）（ｂ）（ｃ）]
図１（ａ）（ｂ）（ｃ）は、対象物１０を固定する固定方法（固定装置Ｋ）を示すもので、固定装置Ｋは、ベース１１と、このベース１１に設けられた雌ねじ孔１２と、ベース１１に対して直交する関係にある支持部１４とを有した本体１を有している。
【００１９】
２は外面当接部材で、外面当接部材２は、貫通孔２１を有し、貫通孔２１に臨む被係止部２２を備えると共に、外形が垂直方向に向かって先細りとなるテーパー部２３を有する。
また、３は係止部材で、係止部材３は、貫通孔２１を通り、先端に雌ねじ孔１２の雌ねじ１３に螺合する雄ネジ部３１を有し、後端の裏面に被係止部２２に係止する係止部３２を有している。
また、係止部材３の係止部３２は、垂直方向に向かって先細りとなる係止テーパー部３３を有している。
また、４は進退手段で、係止部材３をベース１１の面に対して垂直方向へ進退させるもので、進退手段４は、図１（ａ）（ｂ）（ｃ）記載の実施例にあっては、係止部材３の頂部に設けたマイナス溝４１に図示しないドライバーの先端を係止し、図示しないドライバーを正逆に回転して、係止部材３をベース１１の面に対して垂直方向へ進退させることができる。
【００２０】
対象物１０を固定するには、外面当接部材２をベース１１に載置し［図１（ａ）参照］、支持部１４とベース１１に載置した外面当接部材２のテーパー部２３との間に対象物１０を位置させ、進退手段４により、係止部材３をベース１１に向かって前進させる、具体的には、雌ねじ孔１２の雌ねじ１３に雄ネジ部３１を螺合した係止部材３を雌ねじ孔１２に向かって前進させる（具体的に言えば、図示しないドライバー等を使用して係止部材３を進退させる。）ことにより、係止部材３の係止テーパー部３２を外面当接部材２の被係止部２２に係止させて、外面当接部材２を介して対象物１０を支持部１４に押し付けて対象物１０を固定することができる［図１（ｃ）参照］。
そして、図１（ｃ）に示すように、係止部材３の係止テーパー部３２と外面当接部材２の被係止部２２との係止部位のベース１１からの高さＨは、外面当接部材２と対象物１０との当接部位のベース１１からの高さｈ（Ｈ＞ｈ）より高い位置にある。
なお、図１（ａ）の外面当接部材２に対象物１０が当たると、外面当接部材２は、図１（ｂ）に示す矢印方向に移動し、雌ねじ孔１２の雌ねじ１３に雄ネジ部３１を螺合した係止部材３を雌ねじ孔１２に向かって前進させることにより、係止部材３の係止テーパー部３２が外面当接部材２の被係止部２２に係止しして、図１（ｂ）の外面当接部材２は、図１（ｃ）に示す矢印方向に移動することとなる。
【００２１】
従って、上述した固定方法（固定装置Ｋ）によれば、外面当接部材２は、貫通孔２１を有し、貫通孔２１に臨む被係止部２２を備えると共に、外形が垂直方向に向かって先細りとなるテーパー部２３を有し、支持部１４と外面当接部材２のテーパー部２３との間に対象物１０を位置させ、係止部材３をベース１１に設けられた雌ねじ孔１２に向かって前進させ、外面当接部材２のテーパー部２３を支持部１４の側に移動させ対象物１０を介して支持部１４に押し付けて対象物１０を固定するため、固定のみならず、固定の解除に力を要せず行うことができ、しかも、係止部材３の係止テーパー部３２と外面当接部材２の被係止部２２との係止部位のベース１１からの高さＨは、外面当接部材２と対象物１０との当接部位のベース１１からの高さｈ（Ｈ＞ｈ）より高い位置にあり、対象物１０への押し付け作用が下方斜めであるため、固定をより確実にすることができ、更に、対象物１０の垂直方向の高さが外面当接部材２の高さより低くても、高くても固定することができる。
【００２２】
[実施例２  図２（ａ）（ｂ）（ｃ）]
上述の実施例１の対象物１０の断面形状は図１（ｂ）（ｃ）に示すように、四角形であったが、本願発明にあっては、これに限らず、例えば、図２（ａ）（ｂ）（ｃ）に示すように、対象物１０’の断面形状が円であっても、実施例１と同様に適用することができる。
実施例２  図２（ａ）（ｂ）（ｃ）にあっては、実施例１  図１（ａ）（ｂ）（ｃ）と同一部分に同一符号を付してその説明を省略する。
【００２３】
[実施例３  図３（ａ）（ｂ）（ｃ）]
上述の実施例１、２の対象物１０、１０’にあっては、対象物１０、１０’をベース１１に載置した状態でスライドして外面当接部材２と支持部１４との間に位置させたが、本願発明にあっては、これに限らず、例えば、図３（ａ）（ｂ）（ｃ）に示すように、上方から対象物１０を外面当接部材２と支持部１４との間に位置させても、実施例１、実施例２と同様に適用することができる。
実施例３  図３（ａ）（ｂ）（ｃ）にあっては、実施例１  図１（ａ）（ｂ）（ｃ）と同一部分に同一符号を付してその説明を省略する。
【００２４】
[実施例４  図４（ａ）（ｂ）]
次に、図４（ａ）（ｂ）を参照して、対象物１０を固定する固定方法（固定装置Ｋ）について、説明する。
図４（ａ）（ｂ）は、対象物１０を固定する固定方法（固定装置Ｋ）を示すもので、固定装置Ｋは、ベース１１と、このベース１１に設けられた雌ねじ孔１２と、ベース１１に対して直交する関係にある支持部１４とを有した本体１を有している。
【００２５】
２は外面当接部材で、外面当接部材２は、貫通孔２１を有し、貫通孔２１に臨む被係止部２２を備えると共に、外形が垂直方向に向かって先細りとなるテーパー部２３を有する。
また、３’は雄ネジ体で、雄ネジ体３’は、貫通孔２１を通り、雌ねじ孔１２の雌ねじ１３に螺合する雄ネジ部３１’を全体に亘って有したものである。
また、５はテーパーナットで、テーパーナット５は、雄ネジ体３’の雄ネジ部３１’に螺合し、垂直方向に向かって先細りとなるテーパー部５１を有する。
【００２６】
対象物１０を固定するには、支持部１４とベース１１に載置した外面当接部材２のテーパー部２３との間に対象物１０を位置させ、雌ねじ孔１２の雌ねじ１３に雄ネジ部３１’を螺合した雄ネジ体３’を雌ねじ孔１２に向かって前進させることにより、テーパーナット５のテーパー部５１を外面当接部材２の被係止部２２に係止させて、外面当接部材２を介して対象物１０を支持部１４に押し付けて対象物１０を固定することができる［図４（ａ）（ｂ）参照］。
なお、外面当接部材２と支持部１４との間に位置した対象物１０が図４（ａ）の外面当接部材２が当たると、外面当接部材２は、図４（ａ）において反時計回りに回動し、雌ねじ孔１２の雌ねじ１３に雄ネジ部３１’を螺合した雄ネジ体３’を雌ねじ孔１２に向かって前進させることにより、テーパーナット５のテーパー部５１を外面当接部材２の被係止部２２に係止して、図４（ｂ）の外面当接部材２は、図４（ｂ）に示す矢印方向に移動することとなる。
また、雄ネジ体３’を雌ねじ孔１２に向かって前進させるには、テーパーナット５の上に位置した雄ネジ体３’に螺合した第１のナット６をテーパーナット５に当接させ、第１のナット６を図示しないスパナ等を使用して行う。
そして、図４（ｂ）に示すように、テーパーナット５のテーパー部５１と外面当接部材２の被係止部２２との係止部位のベース１１からの高さＨは、外面当接部材２と対象物１０との当接部位のベース１１からの高さｈ（Ｈ＞ｈ）より高い位置にある。
【００２７】
従って、上述した固定方法（固定装置Ｋ）によれば、外面当接部材２は、貫通孔２１を有し、貫通孔２１に臨む被係止部２２を備えると共に、外形が垂直方向に向かって先細りとなるテーパー部２３を有し、支持部１４と外面当接部材２との間に対象物１０を位置させ、雌ねじ孔１２の雌ねじ１３に雄ネジ部４１を螺合した雄ネジ体３’を雌ねじ孔１２に向かって前進させ、対象物１０を介して支持部１４に押し付けて対象物１０を固定するため、固定のみならず、固定の解除に力を要せず行うことができ、しかも、テーパーナット５のテーパー部５１と外面当接部材２の被係止部２２との係止部位のベース１１からの高さＨは、外面当接部材２と対象物１０との当接部位のベース１１からの高さｈ（Ｈ＞ｈ）より高い位置にあり、対象物１０への押し付け作用が下方斜めであるため、固定をより確実にすることができ、更に、対象物１０の垂直方向の高さが外面当接部材２の高さより低くても、高くても固定することができる。
なお、テーパーナット５の上に位置し、雄ネジ体３’の雄ネジ部３１’に螺合する第１のナット６を設け、テーパーナット５の上端面に第１のナット６を当接して第１のナット６を締め付けて、テーパーナット５が緩むのを防ぐようにしている。
【００２８】
[実施例５  図５（ａ）（ｂ）]
上述の実施例４においては、雌ねじ孔１２は本体１を貫通していないが、次に示す実施例においては、雌ねじ孔１２は本体１を貫通している。
即ち、図５（ａ）（ｂ）に示すように、雌ねじ孔１２は本体１を貫通しているため、本体１の雌ねじ孔１２より突出した雄ネジ体３’の雄ネジ部３１’に第２のナット７を螺合すると共に、第２のナット７の上端面を本体１の裏面に当接して第２のナット７を締め付けて、テーパーナット５が緩むのを防ぐようにしている。
実施例５  図５（ａ）（ｂ）にあっては、実施例４  図４（ａ）（ｂ）と同一部分に同一符号を付してその説明を省略する。
【００２９】
[実施例６  図６及び図７]
上述の実施例１  図１（ａ）（ｂ）（ｃ）においては、進退手段４は、係止部材３の頂部に設けたマイナス溝４１に図示しないドライバーの先端を係止し、図示しないドライバーを正逆に回転して、係止部材３をベース１１の面に対して垂直方向へ進退させるようにしたが、本願発明にあっては、これに限らず、例えば、図６及び図７記載の進退手段４であっても良い。
即ち、図６及び図７に示す進退手段４は、係止部材３を垂直方向へ進退させるもので、例えば、エアーシリンダー４２の動作によりロット４３を介して接続された係止部材３を進退させるようにしている。
エアーシリンダー４２は、例えば、取付部材４４を介してベース１１に取り付けられている。ロット４３の一部は、ベース１１の通路１５内に位置している。
なお、図６は、対象物１０を固定する前の状態の概略的図であり、図７は、図６の対象物１０を固定した状態の概略的図である。
実施例６  図６及び図７にあっては、実施例１  図１（ａ）（ｂ）（ｃ）と同一部分に同一符号を付してその説明を省略する。
【００３０】
[実施例７  図８]
上述の実施例において、外面当接部材２を介して対象物１０を支持部１４に押し付けて対象物１０を固定する際、外面当接部材２の貫通孔２１の縁部が係止部材３の雄ネジ部３１、雄ネジ体３’の雄ネジ部３１’に接触して、ネジ部３１、３１’を損傷させる不具合を生じる。
次に述べる実施例は、かかる不具合を防止したものである。
即ち、図８に示すように、外面当接部材２の貫通孔２１は、垂直方向に向かって先細りとなる第１のテーパー部２１Ａと、この第１のテーパー部２１Ａに接続し、垂直方向に向かって末広がりとなる第２のテーパー部２１Ｂとを有し、垂直方向に向かって、第１のテーパー部２１Ａ、第２のテーパー部２１Ｂの順で構成されている。
また、係止部材３は、円筒部３２と、この円筒部３２の先端に設けられた雄ネジ部３１とを有する。
そして、第１のテーパー部２１Ａと第２のテーパー部２１Ｂとの接続部位Ｘが円筒部３２［係止部材３の雄ネジ部３１が形成されていない部分、又は、雄ネジ体３’の雄ネジ部３１’が形成されていない部分（図示せず）］に当接するようにして、係止部材３の雄ネジ部３１（又は雄ネジ体３’の雄ネジ部３１’）の損傷を防ぐようにしている。
実施例７  図８にあっては、実施例１  図１（ａ）（ｂ）（ｃ）と同一部分に同一符号を付してその説明を省略する。
【００３１】
[実施例８  図９（ａ）（ｂ）（ｃ）]
上述の実施例における外面当接部材２の形状は、例えば、平面的に示す図９（ａ）記載の円でも、図９（ｂ）記載の八角形でも、（ｃ）記載の四角形でも良い。図９（ａ）（ｂ）（ｃ）に示す２１は、貫通孔である。
【００３２】
[実施例９  図１０]
上述の実施例における係止部材３、雄ネジ体３’を進退手段４により進退させたが、図１０に示す付勢手段１００（具体的には、弾性部材）を用いても良い。
即ち、図１０に示すように、付勢手段１００により、雄ネジ体３’（又は、図１、図２、図３、図８に示す係止部材３）をベース１１に向かうように弾性力を作用させる。
そして、支持部１４とベース１１に載置した外面当接部材２のテーパー部２３との間に対象物１０を位置させ、付勢手段１００により、係止部材５の係止テーパー部５１を外面当接部材２の被係止部２２に係止させて、外面当接部材２を介して対象物１０を支持部１４に押し付けて対象物１０を固定することができる。なお、係止部材５の係止テーパー部５１と外面当接部材２の被係止部２２との係止部位のベース１１からの高さＨは、外面当接部材２と対象物１００との当接部位のベース１１からの高さｈ（Ｈ＞ｈ）より高い位置にある。
なお、図１０において、対象物１０を固定する前にあっては、外面当接部材２を反時計回りに回動させて、外面当接部材２と支持部１４との間に対象物１０を位置させれば、図１０記載の通りとなる。１１’はベース１１に設けた貫通孔であり、Ａは貫通孔１１’に位置する雄ネジ体３’の貫通する部位であり、Ｓはストッパーで、ストッパーＳとベース１１との間に付勢手段１００が位置している。図１０においては、雄ネジ体３’を図示しているが、図１０記載の雄ネジ体３’に代えて、図１、図２、図３、図８に示す係止部材３でも良い。
[実施例９  図１０にあっては、上述の実施例（図１乃至図９）と同一部分に同一符号を付してその説明を省略する。
【符号の説明】
【００３３】
１      本体
２      外面当接部材
３      係止部材
４      進退手段
１０    対象物
１１    ベース
１２    雌ねじ孔
１３    雌ねじ
１４    支持部
２１    貫通孔
２２    被係止部
２３    テーパー部
３１    雄ネジ部
３２    係止部
３３    係止テーパー部
【要約】      （修正有）【課題】固定のみならず、固定の解除も良好な固定方法を提供する。【解決手段】ベース１１と、このベース１１に対して直交する関係にある支持部１４とを有した本体１と、貫通孔２１を有し、貫通孔２１に臨む被係止部２２を備えると共に、外形が垂直方向に向かって先細りとなるテーパー部２３を有する外面当接部材２と、貫通孔２１を通り、後端の裏面に被係止部２２に係止する係止部３２を有した係止部材３と、この係止部材３をベース１１の面に対して垂直方向へ進退させる進退手段４とを備え、外面当接部材２をベース１１に載置し、支持部１４とベース１１に載置した外面当接部材２のテーパー部２３との間に対象物１０を位置させ、進退手段４により、係止部材３をベース１１に向かって前進させることにより、外面当接部材２を介して対象物１０を支持部１４に押し付けて対象物１０を固定するものである。【選択図】図１【図１】
0005935917.tif 000002
【図２】
0005935917.tif 000003
【図３】
0005935917.tif 000004
【図４】
0005935917.tif 000005
【図５】
0005935917.tif 000006
【図６】
0005935917.tif 000007
【図７】
0005935917.tif 000008
【図８】
0005935917.tif 000009
【図９】
0005935917.tif 000010
【図１０】
0005935917.tif 000011
【図１１】
0005935917.tif 000012
【図１２】
0005935917.tif 000013